(57)【要約】【課題】  スライドスイッチの操作部材の操作方向と、電気的な切り換えをおこなうスイッチ素子のツマミ部の移動方向が直交するスライドスイッチにおいてスムースな作動と優れた耐久性を得ることを目的とするスライドスイッチ装置およびそれを有する光学機器の提供。【解決手段】  操作部材と一体に動作する連結部材に、ツマミ部と係合するカム部を設け、そのカム部の両端を円弧で形成し、中間部を両端の円弧に接し、操作部材の操作方向とのなす角が４５°以下である直線で結ぶことを特徴とするスライドスイッチ装置およびそれを有する光学機器。【選択図】        図３
2007026860.tif 000002
【特許請求の範囲】
【請求項１】
スライドスイッチの操作部材の操作方向と、電気的な切り換えをおこなうスイッチ素子のツマミ部の移動方向が直交するスライドスイッチにおいて、該操作部材と一体に動作する連結部材に、該ツマミ部と係合するカム部を設け、該カム部は両端を円弧で形成されていることを特徴とするスライドスイッチ装置。
【請求項２】
前記カム部の中間部は、両端の該円弧に接し、前記操作部材の操作方向とのなす角が４５°以下である直線であることを特徴とする請求項１に記載のスライドスイッチ装置。
【請求項３】
光軸と直交する平面に固定されたプリント基板と、
該プリント基板上に実装され、光軸と直交する方向に移動することにより電気的な切り換え信号を発生するツマミ部を有するスライドスイッチと、
光軸と平行に移動する操作部材と、
該操作部材と一体に移動し、該ツマミ部と係合するカム部を有する連結部材、
とからなるスライドスイッチ装置を有する光学機器において、該カム部は両端を円弧で形成されていることを特徴とするスライドスイッチ装置を有する光学機器。
【請求項４】
該カム部の中間部は、両端の該円弧に接し、該操作部材の操作方向とのなす角が４５°以下である直線であることを特徴とする請求項３に記載のスライドスイッチ装置を有する光学機器。
【発明の詳細な説明】
【技術分野】
【０００１】
本発明は、スライドスイッチ等の操作部材を備えた切替え装置に係るスライドスイッチ装置およびそれを有する光学機器に関し、特にデジタルカメラ、ビデオカメラ、フィルム用カメラ等に好適なものである。
【背景技術】
【０００２】
近年、一眼レフカメラ等の交換レンズに設けられるスイッチとしては、オートフォーカスとマニュアルフォーカスを切り換えるためのものや、手ぶれ補正機構のオンオフを切り換えるためのものや、オートフォーカス時の合焦距離範囲を設定するスイッチなど、様々な種類が挙げられる。また、一般的に使用者によってズームやフォーカスの動作がおこなわれる場合、光軸を中心として設けられた筒状部材を回転させておこなう。これにあわせて前述したスイッチは、ズーム動作時等に意図せず動いてしまわないように、光軸と平行に操作部材を操作することにより、切り換えをおこなう場合が多い（例えば、特許文献１参照）。
【０００３】
また、操作部材の操作方向は光軸と平行なまま、リード線廃止による信頼性向上およびフレキシブルプリント基板廃止によるコストダウンのために、交換レンズ内に設けられた、光軸と直交する平面内に配置されたプリント基板上に電気的な切り換えをおこなうスイッチ素子を直接実装し、操作部材に固定された連結板に設けられたカムと、スイッチ素子のツマミ部を係合させ、操作部材は光軸と平行に操作しながら、ツマミ部を光軸と直交方向に移動させることにより、電気的な切り換えをおこなう構造が知られている（例えば、特許文献２参照）。
【特許文献１】特開平０５−０３４７７５号公報（第３図）
【特許文献２】特開平０３−２０５７１３号公報（第２図）
【発明の開示】
【発明が解決しようとする課題】
【０００４】
しかしながら、上記特許文献２のような構造をとった場合、ツマミ部に、ツマミ部の移動方向に対して直交する方向、つまりは操作部材操作方向に負荷が必ずかかってしまうため、特に、ツマミ部とカム部が当接して動きだすときに、直線のカム面に対して、ツマミ部の角部が当たるので、スムースに動かなかったり、ツマミ部が破損してしまう恐れがあったり、操作感や耐久性に問題があった。
【０００５】
また操作部材操作方向の負荷を軽減させようと、操作方向とカム部のなす角を減らしていくと、所定のツマミ移動量を確保するためには、操作部材のストロークが大きくなってしまい、しいてはその操作部材が搭載される光学機器が大きくなってしまうおそれがある。
【０００６】
そこで、本発明の例示的な目的は、スライドスイッチの操作部材の操作方向と、電気的な切り換えをおこなうスイッチ素子のツマミ部の移動方向が直交するスライドスイッチにおいて、スムースな作動と優れた耐久性を得るスライドスイッチ装置およびそれを有する光学機器を提供することにある。
【課題を解決するための手段】
【０００７】
上記目的を達成するために、本発明のスライドスイッチ装置およびそれを有する光学機器は、スライドスイッチの操作部材の操作方向と、電気的な切り換えをおこなうスイッチ素子のツマミ部の移動方向が直交するスライドスイッチにおいて、該操作部材と一体に動作する連結部材に、該ツマミ部と係合するカム部を設け、該カム部は両端を円弧で形成されていることを特徴とする。
【０００８】
また、該カム部の中間部は、両端の該円弧に接し、該操作部材の操作方向とのなす角が４５°以下である直線であることを特徴とする。
【０００９】
本発明の更なる目的又はその他の特徴は、以下、添付の図面を参照して説明される好ましい実施例等によって明らかにされるであろう。
【発明の効果】
【００１０】
本発明によれば、スライドスイッチの操作部材の操作方向と、電気的な切り換えをおこなうスイッチ素子のツマミ部の移動方向が直交するスライドスイッチにおいて、該操作部材と一体に動作する連結部材に、該ツマミ部と係合するカム部を設け、該カム部は両端を円弧で形成されていることを特徴とすることにより、ツマミ部へ作用する力の、操作部材操作方向の力が減少するので、スライドスイッチの操作部材の操作方向と、電気的な切り換えをおこなうスイッチ素子のツマミ部の移動方向が直交するスライドスイッチにおいて、スムースな作動と優れた耐久性を得るスライドスイッチ装置およびそれを有する光学機器を提供することが可能となる。
【００１１】
また、該カム部の中間部は、両端の該円弧に接し、該操作部材の操作方向とのなす角が４５°以下である直線であることを特徴とすることにより、結果的に、円弧範囲が４５°以下となるため、ツマミ部へ作用する力の関係が、常に操作部材操作方向の分力≦ツマミ部移動方向の分力となり、スムースな作動と優れた耐久性を得るスライドスイッチ装置およびそれを有する光学機器を提供することが可能となる。
【発明を実施するための最良の形態】
【００１２】
以下に、本発明の実施の形態を添付の図面に基づいて詳細に説明する。
【実施例１】
【００１３】
図１は、本発明の第１の実施例であるスライドスイッチ装置が搭載された光学機器であるところの、一眼レフカメラ用交換レンズの外観図である。図２は、図１の外観図Ａ部の主要部分拡大断面図である。図３は、図２の主要部分拡大断面図Ｂ矢視図で、主要部品のみを示している。
【００１４】
図１から図３において、１はスイッチノブ（操作部材）で、光軸と平行な矢印Ｃ方向に操作される。２はスイッチカバーで、中央部に設けられた長孔部２ａに、スイッチノブ１の突出部１ａが挿通され、スイッチノブ１の操作可能範囲を規制している。
【００１５】
３は固定筒で、スイッチカバー２が取り付けられる。４はマニュアルフォーカス操作環、５はズーム操作環で、光軸を中心として回転可能に保持されており、操作されることによって、不図示の内部の光学系を光軸方向に進退させる。６はマウントで、固定筒３に不図示のビスにより固定され、一眼レフカメラ本体に装着するためのバヨネット爪６ａが設けられている。
【００１６】
７はメイン基板で、光軸と直交するように配置され、固定筒に不図示のビスにより固定される。８は汎用のスイッチ素子で、メイン基板７上にはんだ等で実装されることにより、メイン基板７上の電気回路に接続されている。
【００１７】
９は連結部材で、スイッチノブ１の突出部１ａにビス１０で固定されるとともに、腕部９ａがスイッチカバー２の内壁に弾性接触することにより、スイッチノブ１の抜け止めになっている。また、連結部材９には、スイッチ素子８のツマミ部８ａと係合するカム部９ｂが形成されている。カム部９ｂは両端を円弧形状９ｃとそれと接する直線部９ｄとからなる。また直線部９ｄは操作部材１の操作方向Ｃとのなす角が４５°以下となるように形成されており、つまりは円弧部９ｃの角度範囲が４５°以下となるように形成されている。
【００１８】
このような構成において、操作部材１が矢印Ｃ方向に操作されると、一体的に連結部材９も矢印Ｃ方向に移動する。このとき、ツマミ部８ａと最初に当接するカム部９ｂは、円弧部９ｃとなるように形成されているので、ツマミ部８ａに対して、当接部に垂直な力Ｅがかかることになり、その矢印Ｃ方向の分力Ｅ１が負荷となるが、円弧にしているため、従来にくらべ大幅に減少しており、かつ矢印Ｄ方向への分力Ｅ２が従来よりも増加しているので、よりスムースな作動を得ることができるとともに、耐久性に優れた構造となっている。
【００１９】
操作部材１がさらに矢印Ｃ方向に操作されると、カム部９ｂにより、ツマミ部８ａがさらに矢印Ｄ方向に移動し、電気的な切り換えがおこなわれる。
【００２０】
次に本実施例の組立性について説明する。
【００２１】
スイッチノブ１・連結部材９・ビス１０より構成されるスイッチカバーユニット１１が固定筒３に対して嵌合するように後端部から挿入され、次に、メイン基板７・スイッチ素子８からなるメイン基板ユニット１２が固定筒３に不図示のビスで固定される。
【００２２】
このとき、スイッチ素子８は、固定筒３とメイン基板７の間に挟持されるかたちとなり、またツマミ部８ａは、連結部材９の切り欠き部９ｅを挿通して、カム部９ｂに係合する。
【００２３】
次にマウント６が固定筒３に対してビス止めされることにより、スイッチカバー２が、固定筒３とマウント６との間で挟持され、固定される。
【００２４】
以上のような構成になっているので、スイッチノブ１が矢印Ｃ方向に操作されても、関連部品がガタつくことはなく、スイッチノブ１も、スイッチカバー２の長孔部２ａに嵌合するとともに、連結部材９によって付勢されているので、ガタつくことはない。
【実施例２】
【００２５】
図４は、本発明の第２の実施例で、主要部品のみを示しており、第１の実施例と共通な箇所は説明を省略する。
【００２６】
ツマミ部８ａのカム部９ｂとの接触部を円弧形状８ｂとすることにより、摩耗のおそれが減少するので、更に耐久性が増し、カム部９ｂとの接触時の負荷を減少させることが可能となる。
【００２７】
以上、本発明の好ましい実施例について説明したが、本発明はこれらの実施例に限定されないことはいうまでもなく、その要旨の範囲内で種々の変形及び変更が可能である。
【図面の簡単な説明】
【００２８】
【図１】本発明の第１の実施例であるスライドスイッチ装置が搭載された光学機器であるところの、一眼レフカメラ用交換レンズの外観図
【図２】図１の外観図Ａ部の主要部分拡大断面図
【図３】図２の主要部分拡大断面図のＢ矢視図で、主要部品のみを示す図
【図４】本発明の第２の実施例である図２の主要部分拡大断面図のＢ矢視図で、主要部品のみを示す図
【符号の説明】
【００２９】
１    スイッチノブ（操作部材）
２    スイッチカバー
３    固定筒
４    マニュアルフォーカス操作環
５    ズーム操作環
６    マウント
７    メイン基板
８    スイッチ素子
９    連結部材
１０  ビス
１１  スイッチカバーユニット
１２  メイン基板ユニット
【図１】
2007026860.tif 000003
【図２】
2007026860.tif 000004
【図３】
2007026860.tif 000005
【図４】
2007026860.tif 000006